(57)【特許請求の範囲】
【請求項１】
内燃機関が１回転する間に少なくとも１サイクルの交流電圧を誘起する点火電源コイルと、
前記点火電源コイルが誘起する交流電圧が発生した時に導通して前記点火電源コイルを実質的に短絡する主スイッチング素子及び該主スイッチング素子が導通しているときの前記点火電源コイルの両端の電圧が所定のレベルに達した時またはピーク値に達した時に前記主スイッチング素子を遮断状態にする制御動作をする制御素子とを備えて、前記主スイッチング素子の遮断により前記点火電源コイルに高い電圧を誘起させる制御回路をユニット化してなる制御回路ユニットと、
前記主スイッチング素子が遮断状態になった際に前記点火電源コイルに誘起する前記交流電圧を昇圧して点火用高電圧を発生する昇圧手段とを備え、
少なくとも前記制御回路ユニットと前記昇圧手段とがケース内に組み込まれてなる内燃機関点火装置ユニットにおいて、
前記制御回路ユニットは前記内燃機関の低速回転域で制御動作を開始する第１の制御回路ユニットと、前記内燃機関の高速回転域で制御動作を開始する第２の制御回路ユニットとして、ユニット毎に独立した別部品によって構成され、
これら第１の制御回路ユニットと第２の制御回路ユニットとが前記ケース内の回路ユニット収容室に収容されていることを特徴とする内燃機関点火装置ユニット。
【請求項２】
内燃機関が１回転する間に少なくとも一方の極性の半サイクルの電圧と他方の極性の半サイクルの電圧と再び一方の極性の半サイクルの電圧とからなる交流電圧を前記一方の極性の半サイクルの電圧のピーク値より前記他方の極性の半サイクルの電圧のピーク値が大きいようにして誘起する点火電源コイルと、
前記点火電源コイルが誘起する交流電圧が発生した時に導通して前記点火電源コイルを実質的に短絡する主スイッチング素子及び該主スイッチング素子が導通しているときの前記点火電源コイルの両端の電圧が所定のレベルに達した時に前記主スイッチング素子を遮断状態にする制御動作をする制御素子とを備えて、前記主スイッチング素子の遮断により前記点火電源コイルに高い電圧を誘起させる制御回路をユニット化してなる制御回路ユニットと、
前記主スイッチング素子が遮断状態になった際に前記点火電源コイルに誘起する前記交流電圧を昇圧して点火用高電圧を発生する昇圧手段とを備え、
少なくとも前記制御回路ユニットと前記昇圧手段とがケース内に組み込まれてなる内燃機関点火装置ユニットにおいて、
前記制御回路ユニットは前記一方の極性の半サイクルの電圧がその設定レベルを超えず、前記他方の極性の半サイクルの電圧がその設定レベルを超える発電特性を示す前記内燃機関の少なくとも低速回転域で該他方の極性の半サイクルの電圧により前記制御素子が動作して前記主スイッチング素子を遮断する第１の制御回路ユニットと、前記一方の極性の半サイクルの電圧と前記他方の極性の半サイクルの電圧が共にその設定レベルを超える発電特性を示す前記内燃機関の高速回転域で該一方の極性の半サイクルの各電圧により前記制御素子が動作して前記主スイッチング素子をそれぞれ遮断する第２の制御回路ユニットとして、ユニット毎に独立した別部品によって構成され、
これら第１の制御回路ユニットと第２の制御回路ユニットとが前記ケース内の回路ユニット収容室に収容されていることを特徴とする内燃機関点火装置ユニット。
【請求項３】
内燃機関が１回転する間に少なくとも一方の極性の半サイクルの電圧と他方の極性の半サイクルの電圧と再び一方の極性の半サイクルの電圧とからなる交流電圧を前記一方の極性の半サイクルの電圧のピーク値より前記他方の極性の半サイクルの電圧のピーク値が大きいようにして誘起する点火電源コイルと、
前記点火電源コイルが誘起する交流電圧が発生した時に導通して前記点火電源コイルを実質的に短絡する主スイッチング素子及び該主スイッチング素子が導通しているときの前記点火電源コイルの両端の電圧が所定のレベルに達した時またはピーク値に達した時に前記主スイッチング素子を遮断状態にする制御動作をする制御素子とを備えて、前記主スイッチング素子の遮断により前記点火電源コイルに高い電圧を誘起させる制御回路をユニット化してなる制御回路ユニットと、
前記主スイッチング素子が遮断状態になった際に前記点火電源コイルに誘起する前記交流電圧を昇圧して点火用高電圧を発生する昇圧手段とを備え、
少なくとも前記制御回路ユニットと前記昇圧手段とがケース内に組み込まれてなる内燃機関点火装置ユニットにおいて、
前記制御回路ユニットは前記他方の極性の半サイクルの電圧がピーク値に達した際に前記制御素子が動作して前記主スイッチング素子を遮断する第１の制御回路ユニットと、前記一方の極性の半サイクルの電圧と前記他方の極性の半サイクルの電圧が共にその設定レベルを超える発電特性を示す前記内燃機関の高速回転域で該一方の極性の半サイクルの各電圧により前記制御素子が動作して前記主スイッチング素子をそれぞれ遮断する第２の制御回路ユニットとして、ユニット毎に独立した別部品によって構成され、
これら第１の制御回路ユニットと第２の制御回路ユニットとが前記ケース内の回路ユニット収容室に収容されていることを特徴とする内燃機関点火装置ユニット。
【請求項４】
前記回路ユニット収容室内は隔壁で仕切られていて、該隔壁で仕切られ各部屋内に前記第１の制御回路ユニットと前記第２の制御回路ユニットとが別々に収容されていることを特徴とする請求項１，２または３に記載の内燃機関点火装置ユニット。
【発明の詳細な説明】
【０００１】
【発明の属する技術分野】
本発明は、点火電源コイルに流れる電流を主スイッチング素子で制御して内燃機関の点火用高電圧を発生させる内燃機関点火装置ユニットに関するものである。
【０００２】
【従来の技術】
図１０（Ａ）（Ｂ）及び図１１は、従来のこの種の内燃機関点火装置ユニット１の構成を示したものである。
【０００３】
この内燃機関点火装置ユニット１は、図示しない内燃機関が１回転する間に少なくとも１サイクルの交流電圧を誘起する点火電源コイル２を有する。点火電源コイル２は、１次コイル３ａと２次コイル３ｂとからなる点火コイル３の１次コイル３ａにより構成されている。この点火コイル３は、後述する主スイッチング素子が遮断状態になった際に点火電源コイル２に誘起する交流電圧を昇圧して点火用高電圧を発生する昇圧手段を構成している。１次コイル３ａの一端は２次コイル３ｂの一端に接続され、１次コイル３ａの他端は接地されている。２次コイル３ｂの他端に誘起された高電圧は、この内燃機関点火装置ユニット１の外に存在する内燃機関の点火プラグ４に印加されるようになっている。
【０００４】
１次コイル３ａと２次コイル３ｂとは、１次コイル３ａが内側で、２次コイル３ｂが外側となるようにして絶縁樹脂からなるボビン５に巻装されている。ボビン５の軸心には、点火コイル３の鉄心６を挿入する鉄心挿入孔７が貫通して設けられている。鉄心６は、図示しない磁石発電機のロータの外周に設けられた永久磁石の磁極に周期的に対向するようになっている。
【０００５】
点火電源コイル２が誘起した交流電圧は、制御回路８に印加されるようになっている。制御回路８は、点火電源コイル２が誘起する交流電圧が発生した時に導通して点火電源コイル２を実質的に短絡するＮＰＮトランジスタからなる主スイッチング素子９及び該主スイッチング素子９が導通しているときの点火電源コイル２の両端の電圧が所定のレベルに達した時に主スイッチング素子９を遮断状態にする制御動作をするＮＰＮトランジスタからなる制御素子１０と、このトランジスタからなる制御素子１０が導通する時期を定めるトリガ信号を与えるトリガ信号供給回路１１とを備えて、主スイッチング素子９の遮断により点火電源コイル２に高い電圧を誘起させるように構成されている。なお、図１１において、Ｒ１  はトランジスタからなる主スイッチング素子９のベース抵抗、Ｒ２  はトランジスタからなる制御素子１０のコレクタ抵抗、Ｒ３  ，Ｒ４  はトリガ信号供給回路１１を構成する分圧抵抗である。この制御回路８は、図示しないが回路基板上に構成され、この回路基板を樹脂１２で覆うことによりユニット化された制御回路ユニット１３として構成されている。
【０００６】
この制御回路ユニット１３から引き出された１対のリード線１４，１５のうち、リード線１４はボビン５に設けられた１次ターミナル１６に接続され、この１次ターミナル１６は１次コイル３ａの一端に接続されている。リード線１４はアースターミナル１７に接続されている。これらターミナル１６，１７はボビン５に支持されている。
【０００７】
２次コイル３ｂの他端は、高圧端子１８とこれに接続された図示しない高圧コードを経て点火プラグ４に接続されている。高圧端子１８は、高圧コード保持筒体１９で包囲されている。高圧コード保持筒体１９はボビン５に支持されている。
【０００８】
このような内燃機関点火装置ユニット１は、絶縁樹脂製のケース２０内に収容され、特に制御回路ユニット１３はケース２０内の回路ユニット収容室２１に収容されている。ケース２０内には、回路ユニット収容室２１を含めて図示しないが絶縁樹脂が充填されている。
【０００９】
このような内燃機関点火装置ユニット１を備えた内燃機関においては、機関の始動操作が行なわれると、磁石発電機のロータの回転につれて点火電源コイル２に交流電圧が誘起する。点火電源コイル２に一方の極性の半サイクルの電圧が誘起すると、トランジスタからなる主スイッチング素子９に抵抗Ｒ２  ，Ｒ１  を通してベース電流が与えられるため、該主スイッチング素子９が導通状態になり、点火電源コイル２から主スイッチング素子９のコレクタエミッタ間を通して短絡電流が流れる。点火電源コイル２を通して流れる電流が所定の遮断値に達して、該点火電源コイル２の両端の電圧が設定値に達したことが検出されると、トランジスタからなる制御素子１０が導通して主スイッチング素子９のベース電流を該主スイッチング素子９から側路するため、該主スイッチング素子９が遮断状態になる。これにより点火電源コイル２を通して流れていた電流が遮断されるため、該点火電源コイル２（即ち，１次コイル３ａ）には、それまで流れていた電流を流し続けようとする極性の高い電圧が誘起する。この誘起電圧は点火コイル３からなる昇圧手段により点火用の高電圧に昇圧され、該点火用高電圧が内燃機関の気筒に取り付けられた点火プラグ４に印加される。点火用高電圧が印加された際に点火プラグ４に生じる火花放電で機関が点火される。
【００１０】
このような内燃機関点火装置ユニット１は、内燃機関の回転速度に応じて点火時期を進角させる必要がある。しかるに、従来のこの種のトランジスタ方式の内燃機関点火装置ユニット１は、点火時期の進角については、ケッチン防止程度のもので、進角幅も約８°〜１０°程度のものであった。
【００１１】
しかるに、現在の内燃機関は、用途によっては進角幅２０°以上の要求が出てきている。
【００１２】
【発明が解決しようとする課題】
しかしながら、従来のこの種の内燃機関点火装置ユニット１では、１つの制御回路ユニット１３で進角幅２０°を確保することは、単純な波形進角方式の制御回路８では無理であった。
【００１３】
また、波形進角方式の制御回路８でも回路を複雑化すれば１つの制御回路ユニット１３でも可能ではあるが、この場合には制御回路８が非常に複雑化し、コストが高くなる問題点があった。
【００１４】
本発明の目的は、比較的低コストで、点火時期の進角幅を広くすることができる内燃機関点火装置ユニットを提供することにある。
【００１５】
本発明の他の目的は、点火時期の進角幅が比較的狭くてよい場合と、点火時期の進角幅を広く必要とする場合とで、部品の共通化が図れる内燃機関点火装置ユニットを提供することにある。
【００１６】
【課題を解決するための手段】
請求項１に記載の発明で改良しようとする内燃機関点火装置ユニットは、
内燃機関が１回転する間に少なくとも１サイクルの交流電圧を誘起する点火電源コイルと、
点火電源コイルが誘起する交流電圧が発生した時に導通して点火電源コイルを実質的に短絡する主スイッチング素子及び該主スイッチング素子が導通しているときの点火電源コイルの両端の電圧が所定のレベルに達した時またはピーク値に達した時に主スイッチング素子を遮断状態にする制御動作をする制御素子とを備えて、主スイッチング素子の遮断により点火電源コイルに高い電圧を誘起させる制御回路をユニット化してなる制御回路ユニットと、
主スイッチング素子が遮断状態になった際に点火電源コイルに誘起する交流電圧を昇圧して点火用高電圧を発生する昇圧手段とを備え、
少なくとも制御回路ユニットと昇圧手段とがケース内に組み込まれてなる構造のものである。
【００１７】
請求項１に記載の内燃機関点火装置ユニットでは、制御回路ユニットは、内燃機関の低速回転域で制御動作を開始する第１の制御回路ユニットと、内燃機関の高速回転域で制御動作を開始する第２の制御回路ユニットとして、ユニット毎に独立した別部品によって構成されている。これら第１の制御回路ユニットと第２の制御回路ユニットとは、ケース内の回路ユニット収容室に収容されている。
【００１８】
このように制御回路ユニットを、第１の制御回路ユニットと第２の制御回路ユニットに別けて構成すると、単純な波形進角方式の制御回路でも、第１の制御回路ユニットと第２の制御回路ユニットとで進角幅を分担させることにより、所要の広い進角幅を得ることができる。
【００１９】
また、第１の制御回路ユニットと第２の制御回路ユニットが、ユニット毎に独立した別部品として構成されていると、第２の制御回路ユニットを用いずに第１の制御回路ユニットの方だけを用いて内燃機関点火装置ユニットを構成する場合、即ち点火時期の進角幅が比較的狭くてよい場合と、本発明のように点火時期の進角幅を広く必要とする場合とで、制御回路ユニットを除いたケース内の構造を共通化することができ、このため部品の共通化によるコストダウンを図ることができる。
【００２０】
請求項２に記載の発明で改良しようとする内燃機関点火装置ユニットは、
内燃機関が１回転する間に少なくとも一方の極性の半サイクルの電圧と他方の極性の半サイクルの電圧と再び一方の極性の半サイクルの電圧とからなる交流電圧を一方の極性の半サイクルの電圧のピーク値より他方の極性の半サイクルの電圧のピーク値が大きいようにして誘起する点火電源コイルと、
点火電源コイルが誘起する交流電圧が発生した時に導通して点火電源コイルを実質的に短絡する主スイッチング素子及び該主スイッチング素子が導通しているときの点火電源コイルの両端の電圧が所定のレベルに達した時に主スイッチング素子を遮断状態にする制御動作をする制御素子とを備えて、主スイッチング素子の遮断により点火電源コイルに高い電圧を誘起させる制御回路をユニット化してなる制御回路ユニットと、
主スイッチング素子が遮断状態になった際に点火電源コイルに誘起する交流電圧を昇圧して点火用高電圧を発生する昇圧手段とを備え、
少なくとも制御回路ユニットと昇圧手段とがケース内に組み込まれてなる構造のものである。
【００２１】
請求項２に記載の内燃機関点火装置ユニットでは、制御回路ユニットは、一方の極性の半サイクルの電圧がその設定レベルを超えず、他方の極性の半サイクルの電圧がその設定レベルを超える発電特性を示す内燃機関の少なくとも低速回転域で他方の極性の半サイクルの電圧により制御素子が動作して主スイッチング素子を遮断する第１の制御回路ユニットと、一方の極性の半サイクルの電圧と他方の極性の半サイクルの電圧が共にその設定レベルを超える発電特性を示す内燃機関の高速回転域で一方の極性の半サイクルの各電圧により制御素子が動作して主スイッチング素子をそれぞれ遮断する第２の制御回路ユニットとして、ユニット毎に独立した別部品によって構成されている。これら第１の制御回路ユニットと第２の制御回路ユニットは、ケース内の回路ユニット収容室に収容されている。
【００２２】
このように制御回路ユニットを、第１の制御回路ユニットと第２の制御回路ユニットに別けて構成すると、請求項１の場合と同様に、単純な波形進角方式の制御回路でも、第１の制御回路ユニットと第２の制御回路ユニットとで進角幅を分担させることにより、所要の広い進角幅を得ることができる。
【００２３】
また、第１の制御回路ユニットと第２の制御回路ユニットが、ユニット毎に独立した別部品によって構成されていると、請求項１の場合と同様に、第２の制御回路ユニットを用いずに第１の制御回路ユニットの方だけを用いて内燃機関点火装置ユニットを構成する場合、即ち点火時期の進角幅が比較的狭くてよい場合と、本発明のように点火時期の進角幅を広く必要とする場合とで、制御回路ユニットを除いたケース内の構造を共通化することができ、このため部品の共通化によるコストダウンを図ることができる。
【００２４】
特に、この発明によれば、一方の極性の半サイクルの電圧と他方の極性の半サイクルの電圧が共にその設定レベルを超える発電特性を示す内燃機関の高速回転域で第２の制御回路ユニットと第１の制御回路ユニットとの各主スイッチング素子がそれぞれ遮断動作をするので、点火を３回以上繰り返すことができて、高速回転域でも着火ミスを回避することができる。
【００２５】
請求項３に記載の発明で改良しようとする内燃機関点火装置ユニットは、
内燃機関が１回転する間に少なくとも一方の極性の半サイクルの電圧と他方の極性の半サイクルの電圧と再び一方の極性の半サイクルの電圧とからなる交流電圧を一方の極性の半サイクルの電圧のピーク値より他方の極性の半サイクルの電圧のピーク値が大きいようにして誘起する点火電源コイルと、
点火電源コイルが誘起する交流電圧が発生した時に導通して点火電源コイルを実質的に短絡する主スイッチング素子及び該主スイッチング素子が導通しているときの点火電源コイルの両端の電圧が所定のレベルに達した時またはピーク値に達した時に主スイッチング素子を遮断状態にする制御動作をする制御素子とを備えて、主スイッチング素子の遮断により点火電源コイルに高い電圧を誘起させる制御回路をユニット化してなる制御回路ユニットと、
主スイッチング素子が遮断状態になった際に点火電源コイルに誘起する交流電圧を昇圧して点火用高電圧を発生する昇圧手段とを備え、
少なくとも制御回路ユニットと昇圧手段とがケース内に組み込まれてなる構造のものである。
【００２６】
請求項３に記載の内燃機関点火装置ユニットでは、制御回路ユニットは他方の極性の半サイクルの電圧がピーク値に達した際に制御素子が動作して主スイッチング素子を遮断する第１の制御回路ユニットと、一方の極性の半サイクルの電圧と他方の極性の半サイクルの電圧が共にその設定レベルを超える発電特性を示す内燃機関の高速回転域で該一方の極性の半サイクルの各電圧により制御素子が動作して主スイッチング素子をそれぞれ遮断する第２の制御回路ユニットとして、ユニット毎に独立した別部品によって構成されている。これら第１の制御回路ユニットと第２の制御回路ユニットは、ケース内の回路ユニット収容室に収容されている。
【００２７】
このように制御回路ユニットを、第１の制御回路ユニットと第２の制御回路ユニットに別けて構成すると、請求項１の場合と同様に、単純な波形進角方式の制御回路でも、第１の制御回路ユニットと第２の制御回路ユニットとで進角幅を分担させることにより、所要の広い進角幅を得ることができる。
【００２８】
また、第１の制御回路ユニットと第２の制御回路ユニットが、ユニット毎に独立した別部品によって構成されていると、請求項１の場合と同様に、第２の制御回路ユニットを用いずに第１の制御回路ユニットの方だけを用いて内燃機関点火装置ユニットを構成する場合、即ち点火時期の進角幅が比較的狭くてよい場合と、本発明のように点火時期の進角幅を広く必要とする場合とで、制御回路ユニットを除いたケース内の構造を共通化することができ、このため部品の共通化によるコストダウンを図ることができる。
【００２９】
特に、この発明によれば、内燃機関の高速回転域で第２の制御回路ユニットと第１の制御回路ユニットとの各主スイッチング素子がそれぞれ遮断動作をするので、点火を３回以上繰り返すことができて、高速回転域でも着火ミスを回避することができる。
【００３０】
請求項４に記載の内燃機関点火装置ユニットでは、請求項１，２または３において、回路ユニット収容室内は隔壁で仕切られていて、該隔壁で仕切られ各部屋内に第１の制御回路ユニットと第２の制御回路ユニットとが別々に収容されていることを特徴とする。この場合、隔壁は、ケースに一体成形で設けられていても、ケースとは別体で後から回路ユニット収容室内に挿入されるものであっても、いずれでもよい。
【００３１】
このように隔壁で仕切られ各部屋内に第１の制御回路ユニットと第２の制御回路ユニットとを別々に収容すると、これら第１の制御回路ユニットと第２の制御回路ユニットとの耐電圧特性と耐ノイズ特性とを向上させることができる。
【００３２】
本発明で内燃機関の低速回転域と高速回転域とは、内燃機関の点火時期がステップ進角する回転数より低い回転数の回転域を低速回転域といい、該ステップ進角する回転数より高い回転数の回転域を高速回転域という。
【００３３】
【発明の実施の形態】
図１（Ａ）（Ｂ）は本発明に係る内燃機関点火装置ユニットにおける実施の形態の第１例を示したもので、（Ａ）は該内燃機関点火装置ユニットの正面図、（Ｂ）は（Ａ）の一部破断側面図である。図２は本例で用いている２つの制御回路ユニットと点火コイルの構成を示す回路図である。図３（Ａ）（Ｂ）及び図４（Ａ）（Ｂ）は図２に示す制御回路ユニットの動作を示す波形図である。図５は本発明に係る内燃機関点火装置ユニットと磁石発電機との関係を示す構成図である。なお、前述した図１０（Ａ）（Ｂ）及び図１１と対応する部分には、同一符号を付けて示している。
【００３４】
点火コイル３の鉄心６は、図５に示すようにコ字状をなしていて、その両端６ａ，６ｂが磁石発電機２２のロータ２３におけるフライホイール２４の外周に空隙を隔てて対向するようになっている。フライホイール２４は内燃機関のクランク軸２５に固定されている。フライホイール２４の外周の一部には、凹部２６が設けられている。この凹部２６の中央の底部には、フライホイール２４の径方向に着磁された永久磁石２７が固定されている。永久磁石２７の外側の極面には、磁極片２７ａが固定されている。図示の例では、永久磁石２７はその外側の磁極がＮ極となるように着磁され、Ｓ極がフライホイール２４の周方向にみて凹部２６の両側に２分されて現れるようになっている。このため、合計３個の磁極Ｓ，Ｎ，Ｓが形成されている。このような構造のため鉄心６の両端６ａ，６ｂがこれら磁極Ｓ，Ｎ，Ｓに対向する毎に、点火電源コイル２（即ち，１次コイル３ａ）は、図３（Ａ）或いは図４（Ａ）に示すように一方の極性（本例では正）の半サイクルの電圧Ｖｐ１と、他方の極性（本例では負）の半サイクルの電圧Ｖｎと、一方の極性（本例では正）の半サイクルの電圧Ｖｐ２とが連続的に且つ一方の極性の２つの半サイクルの電圧Ｖｐ１，Ｖｐ２のピーク値より他方の極性の半サイクルの電圧Ｖｎのピーク値が大きいようにして誘起されることになる。
【００３５】
本例の内燃機関点火装置ユニット１においては、点火電源コイル２が誘起する交流電圧が発生した時に導通して点火電源コイル２を実質的に短絡するＮＰＮトランジスタよりなる主スイッチング素子９Ａ，９Ｂ及び該主スイッチング素子９Ａ，９Ｂが導通しているときの点火電源コイル２の両端の電圧が所定のレベルに達した時に主スイッチング素子９Ａ，９Ｂを遮断状態にする制御動作をするＮＰＮトランジスタよりなる制御素子１０Ａ，１０Ｂとを備えて、主スイッチング素子９Ａ，９Ｂの遮断により点火電源コイル２に高い電圧を誘起させる制御回路８をユニット化してなる制御回路ユニット１３を備えている。
【００３６】
制御回路ユニット１３は、図２及び図３（Ａ）に示すように一方の極性（本例では正）の２つの半サイクルの電圧Ｖｐ１，Ｖｐ２がその設定レベルＬ１  を超えず、他方の極性（本例では負）の半サイクルの電圧Ｖｎがその設定レベルＬ２  を超える発電特性を示す内燃機関の少なくとも低速回転域で該他方の極性（本例では負）の半サイクルの電圧ＶｎによりＮＰＮトランジスタよりなる制御素子１０Ａが導通動作してＮＰＮトランジスタよりなる主スイッチング素子９Ａを遮断する第１の制御回路ユニット１３Ａと、一方の極性（本例では正）の半サイクルの電圧Ｖｐ１，Ｖｐ２と他方の極性（本例では負）の半サイクルの電圧Ｖｎが共にその設定レベルＬ１  ，Ｌ２  を超える発電特性を示す内燃機関の高速回転域で一方の極性（本例では正）の半サイクルの各電圧Ｖｐ１，Ｖｐ２によりＮＰＮトランジスタよりなる制御素子１０Ｂが導通動作してＮＰＮトランジスタよりなる主スイッチング素子９Ｂをそれぞれ遮断する第２の制御回路ユニット１３Ｂとして、ユニット毎に独立した別部品によって構成されている。
【００３７】
これら第１の制御回路ユニット１３Ａと第２の制御回路ユニット１３Ｂでは、図１１に示す制御回路ユニット１３と同じ回路素子からなる構成要素で構成されており、その対応関係を明らかにするために、図１１に示す制御回路ユニット１３の各構成要素と同じ符号にユニット１３Ａ側，ユニット１３Ｂ側という意味でＡ，Ｂ，ａ，ｂを付加して示している。
【００３８】
第１の制御回路ユニット１３Ａの制御回路８Ａでは、ＮＰＮトランジスタからなる主スイッチング素子９Ａ及びＮＰＮトランジスタからなる制御素子１０Ａの各エミッタ側が、点火電源コイル２（即ち，１次コイル３ａ）の一端につながるリード線１４Ａに接続され、コレクタ側が接地用のリード線１５Ａに接続されている。また、第２の制御回路ユニット１３Ｂの制御回路８Ｂでは、ＮＰＮトランジスタからなる主スイッチング素子９Ｂ及びＮＰＮトランジスタからなる制御素子１０Ｂの各コレクタ側が、点火電源コイル２（即ち，１次コイル３ａ）の一端につながるリード線１４Ｂに接続され、エミッタ側が接地用のリード線１５Ｂに接続されている。更に、第１の制御回路ユニット１３Ａと第２の制御回路ユニット１３Ｂとが点火電源コイル２（即ち，１次コイル３ａ）の一端につながるリード線１４Ａ，１４Ｂには、図示のような向きでダイオード２８Ａ，２８Ｂが接続されている。即ち、点火電源コイル２（即ち，１次コイル３ａ）の一端に対して、ダイオード２８Ａはそのカソードを向け、ダイオード２８Ｂはそのアノードを向けて接続されている。
【００３９】
ケース２０内に設けられている回路ユニット収容室２１は、図１（Ａ）（Ｂ）に示すように、隔壁２０ａで仕切られて２つの部屋２１Ａ，２１Ｂが形成されている。隔壁２０ａと部屋２１Ａ，２１Ｂは、ケース２０の成形時に一緒に形成されるようになっている。
【００４０】
前述した第１の制御回路ユニット１３Ａと第２の制御回路ユニット１３Ｂとは、ケース２０内におけるこれら部屋２１Ａ，２１Ｂ内に別々に収容されている。
【００４１】
ケース２０内は、これら第１の制御回路ユニット１３Ａと第２の制御回路ユニット１３Ｂを収容した部屋２１Ａ，２１Ｂを含めて図示しないが絶縁樹脂が充填されている。
【００４２】
次に、このような第１の制御回路ユニット１３Ａと第２の制御回路ユニット１３Ｂとを用いての、内燃機関の回転速度に応じた点火時期の進角動作等について、図３（Ａ）（Ｂ）及び図４（Ａ）（Ｂ）を参照して説明する。
【００４３】
内燃機関の低速回転域では、点火電源コイル２（即ち，点火コイル３の１次コイル３ａ）から図３（Ａ）に示すような交流電圧が周期的に発生している。この例の交流電圧は、一方の極性（本例では正）の半サイクルの電圧Ｖｐ１と、他方の極性（本例では負）の半サイクルの電圧Ｖｎと、一方の極性（本例では正）の半サイクルの電圧Ｖｐ２とが連続的に且つ一方の極性の２つの半サイクルの電圧Ｖｐ１，Ｖｐ２のピーク値より他方の極性の半サイクルの電圧Ｖｎのピーク値が大きいようにして誘起されている。
【００４４】
低速回転域におけるこのような交流電圧は、図３（Ａ）に示すように一方の極性（本例では正）の２つの半サイクルの電圧Ｖｐ１，Ｖｐ２がその設定レベルＬ１  を超えず、他方の極性（本例では負）の半サイクルの電圧Ｖｎがその設定レベルＬ２  を超える発電特性となっている。
【００４５】
かかる発電特性の交流電圧が印加される第１の制御回路ユニット１３Ａは、図３（Ａ）に示すように一方の極性（本例では正）の２つの半サイクルの電圧Ｖｐ１，Ｖｐ２がその設定レベルＬ１  を超えず、他方の極性（本例では負）の半サイクルの電圧Ｖｎがその設定レベルＬ２  を超える発電特性を示す内燃機関の低速回転域で、該他方の極性（本例では負）の半サイクルの電圧Ｖｎにより図２に示す第１の制御回路ユニット１３ＡのＮＰＮトランジスタからなる主スイッチング素子９Ａが導通することになる。即ち、リード線１５Ａ側からコレクタに流れる電流で主スイッチング素子９Ａが導通することになる。
【００４６】
主スイッチング素子９Ａが導通すると、主スイッチング素子９Ａと点火電源コイル２とを通る閉回路が構成され、このときの点火電源コイル２の両端の電圧が所定のレベルＬ２  に達した時にトリガ信号供給回路１１Ａからトリガ信号がＮＰＮトランジスタからなる制御素子１０Ａのベースに与えられて該制御素子１０Ａが導通し、主スイッチング素子９Ａを遮断状態にする。この主スイッチング素子９の遮断により、図３（Ｂ）に示すように内燃機関の回転角度θ１  のところで２次コイル３ｂに高い電圧Ｖｈｎが誘起されることになる。この高い電圧Ｖｈｎが点火プラグ４に印加され、内燃機関の点火が行われる。なお、図３において、ＴＤＣは内燃機関の上死点を示している。
【００４７】
内燃機関の回転数が上昇し、図４（Ａ）に示すように一方の極性（本例では正）の半サイクルの電圧Ｖｐ１，Ｖｐ２と他方の極性（本例では負）の半サイクルの電圧Ｖｎが共にその設定レベルＬ１  ，Ｌ２  を超える発電特性を示す内燃機関の高速回転域で、一方の極性（本例では正）の半サイクルの各電圧Ｖｐ１，Ｖｐ２により図２に示す第２の制御回路ユニット１３ＢのＮＰＮトランジスタからなる主スイッチング素子９Ｂがそれぞれ導通し、また他方の極性（本例では負）の半サイクルの電圧Ｖｎにより図２に示す第１の制御回路ユニット１３ＡのＮＰＮトランジスタからなる主スイッチング素子９Ａが導通することになる。
【００４８】
一方の極性（本例では正）の半サイクルの電圧Ｖｐ１により主スイッチング素子９Ｂが導通すると、該主スイッチング素子９Ｂと点火電源コイル２とを通る閉回路が構成され、次に点火電源コイル２の両端の電圧Ｖｐ１が所定のレベルＬ１  に達した時にトリガ信号供給回路１１Ｂからトリガ信号がＮＰＮトランジスタからなる制御素子１０Ｂのベースに与えられて該制御素子１０Ｂが導通し、主スイッチング素子９Ｂを遮断状態にする。この主スイッチング素子９Ｂの遮断により、図４（Ｂ）に示すように内燃機関の回転角度θ２  のところで２次コイル３ｂに高い電圧Ｖｈｐ１  が誘起されることになる。この高い電圧Ｖｈｐ１  が点火プラグ４に印加され、内燃機関に対して１回目の点火動作が行われる。
【００４９】
次に、図４（Ａ）に示すように他方の極性（本例では負）の半サイクルの電圧Ｖｎで主スイッチング素子９Ａが導通すると、該主スイッチング素子９Ａと点火電源コイル２とを通る閉回路が構成され、次に点火電源コイル２の両端の電圧Ｖｎが所定のレベルＬ２  に達した時にトリガ信号供給回路１１Ａからトリガ信号がＮＰＮトランジスタからなる制御素子１０Ａのベースに与えられて該制御素子１０Ａが導通し、主スイッチング素子９Ａを遮断状態にする。この主スイッチング素子９Ａの遮断により、図４（Ｂ）に示すように内燃機関の回転角度θ１  のところで２次コイル３ｂに高い電圧Ｖｈｎが誘起されることになる。この高い電圧Ｖｈｎが点火プラグ４に印加され、内燃機関に対して２回目の点火動作が行われる。
【００５０】
更に、図４（Ａ）に示すように一方の極性（本例では正）の半サイクルの電圧Ｖｐ２により主スイッチング素子９Ｂが導通すると、該主スイッチング素子９Ｂと点火電源コイル２とを通る閉回路が構成され、次に点火電源コイル２の両端の電圧Ｖｐ２が所定のレベルＬ１  に達した時にトリガ信号供給回路１１Ｂからトリガ信号がＮＰＮトランジスタからなる制御素子１０Ｂのベースに与えられて該制御素子１０Ｂが導通し、主スイッチング素子９Ｂを遮断状態にする。この主スイッチング素子９Ｂの遮断により、図４（Ｂ）に示すように内燃機関の回転角度θ３  のところで２次コイル３ｂに高い電圧Ｖｈｐ２  が誘起されることになる。この高い電圧Ｖｈｐ２  が点火プラグ４に印加され、内燃機関に対して３回目の点火動作が行われる。
【００５１】
このように本例によれば、低速回転域では内燃機関の点火時期が回転角度θ１  のところで行われていたが、高速回転域では内燃機関の点火時期が回転角度θ１  より進角された回転角度θ２  のところで行われるようになり、進角幅が広がり、このため２０°以上の進角幅を容易に得ることができる。
【００５２】
また、内燃機関の高速回転域では、点火を３回繰り返すことができて、高速回転域でも着火ミスを回避することができる。
【００５３】
この例では、一方の極性（本例では正）の半サイクルの電圧Ｖｐ１がその設定レベルＬ１  を超えたときの内燃機関の回転数が、該内燃機関の点火時期がステップ的に進角するステップ時期であり、このステップ進角する回転数より低い回転数の回転域が低速回転域であり、該ステップ進角する回転数より高い回転数の回転域が高速回転域である。
【００５４】
図６は本発明に係る内燃機関点火装置ユニットにおける実施の形態の第２例における２つの制御回路ユニットと点火コイルの構成を示す回路図である。
【００５５】
この第２例では、点火電源コイル２が誘起する交流電圧が発生した時に導通して該点火電源コイル２を実質的に短絡するＮＰＮトランジスタからなる主スイッチング素子９Ａ，９Ｂ及び該主スイッチング素子９Ａ，９Ｂが導通しているときの点火電源コイル２の両端の電圧が所定のレベルに達した時またはピーク値に達した時に主スイッチング素子９Ａ，９Ｂを遮断状態にする制御動作をするＮＰＮトランジスタからなる制御素子１０Ａ，１０Ｂとを備えて、主スイッチング素子９Ａ，９Ｂの遮断により点火電源コイル２に高い電圧を誘起させる制御回路８をユニット化してなる制御回路ユニット１３を備えている。
【００５６】
制御回路ユニット１３は、他方の極性（本例では負）の半サイクルの電圧Ｖｎがピーク値に達した際にＮＰＮトランジスタからなる制御素子１０Ａが動作して主スイッチング素子９Ａを遮断する第１の制御回路ユニット１３Ａ´と、一方の極性（本例では正）の半サイクルの電圧Ｖｐ１，Ｖｐ２と他方の極性（本例では負）の半サイクルの電圧Ｖｎが共にその設定レベルＬ１  ，Ｌ２  を超える発電特性を示す内燃機関の高速回転域で該一方の極性の半サイクルの各電圧Ｖｐ１，Ｖｐ２によりＮＰＮトランジスタからなる制御素子１０Ｂが動作して主スイッチング素子９Ｂをそれぞれ遮断する第２の制御回路ユニット１３Ｂとして、ユニット毎に独立した別部品によって構成されている。
【００５７】
即ち、この第２例では制御回路ユニット１３の構成を第１例と比較すると、第２の制御回路ユニット１３Ｂの構造は同じであるが、第１の制御回路ユニット１３Ａ´の構造が相違している。
【００５８】
第１の制御回路ユニット１３Ａ´の制御回路８Ａ´は、ＮＰＮトランジスタからなる主スイッチング素子９Ａと、ＮＰＮトランジスタからなる制御素子１０Ａと、ＰＮＰトランジスタＴＲａ１と、ＮＰＮトランジスタＴＲａ２，ＴＲａ３と、抵抗Ｒａ１，Ｒａ２，Ｒａ５〜Ｒａ７と、コンデンサＣａ１と、ダイオード２９Ａ，Ｄａ１，Ｄａ２とで構成されている。
【００５９】
ＮＰＮトランジスタからなる主スイッチング素子９Ａは、そのエミッタが点火電源コイル２（即ち，１次コイル３ａ）の一端につながるリード線１４Ａに接続され、コレクタが接地用のリード線１５Ａに接続されている。ＮＰＮトランジスタからなる制御素子１０Ａは、そのエミッタがリード線１４Ａに接続され、コレクタが抵抗Ｒａ２を介して接地用のリード線１５Ａに接続されている。主スイッチング素子９Ａのベースは、抵抗Ｒａ２と制御素子１０Ａのコレクタとの接続点に抵抗Ｒａ１を介して接続されている。ＰＮＰトランジスタＴＲａ１は、そのコレクタが制御素子１０Ａのベースに接続され、ベースが抵抗Ｒａ５を介して制御素子１０Ａのコレクタに接続され、エミッタが抵抗Ｒａ６を介してリード線１５Ａに接続されている。トランジスタＴＲａ１のコレクタと制御素子１０Ａのコレクタとの接続点はダイオードＤａ１を介してリード線１４Ａに接続されている。ダイオードＤａ１はそのアノードがリード線１４Ａに接続されている。ＮＰＮトランジスタＴＲａ２は、そのコレクタが制御素子１０Ａのベースに接続され、ベースが抵抗Ｒａ８を介してリード線１５Ａに接続されている。ＮＰＮトランジスタＴＲａ３は、そのコレクタが抵抗Ｒａ９を介してトランジスタＴＲａ２のエミッタに接続され、そのエミッタがリード線１４Ａに接続され、ベースがダイオードＤａ２を介してリード線１４Ａに接続されている。ダイオードＤａ２はそのアノードがリード線１４Ａに接続されている。トランジスタＴＲａ１のエミッタと抵抗Ｒａ６との接続点と、トランジスタＴＲａ３のベースとの間には、抵抗Ｒａ７とコンデンサＣａ１との直列回路が接続されている。リード線１４Ａは、図２の場合と同様にダイオード２９Ａを介して点火電源コイル２（即ち，１次コイル３ａ）の一端に接続されている。
【００６０】
この例では、トランジスタＴＲａ１，ＴＲａ２，ＴＲａ３と、Ｒａ５〜Ｒａ７と、コンデンサＣａ１と、ダイオードＤａ１，Ｄａ２と、コンデンサＣａ１とで、トランジスタからなる制御素子１０Ａにトリガ信号を供給するトリガ信号供給回路１１Ａ´が構成されている。
【００６１】
この例の内燃機関点火装置ユニットにおいても、第１の制御回路ユニット１３Ａ´と第２の制御回路ユニット１３Ｂとは、この例では図示しないが、前述した図１（Ａ）（Ｂ）に示す第１例の場合と同様に、ケース２０内における回路ユニット収容室２１の各部屋２１Ａ，２１Ｂ内に別々に収容され、ケース２０内はこれら第１の制御回路ユニット１３Ａと第２の制御回路ユニット１３Ｂを収容した部屋２１Ａ，２１Ｂを含めて絶縁樹脂が充填されている。
【００６２】
次に、図６に示す内燃機関点火装置ユニットにおける第１の制御回路ユニット１３Ａ´の動作について説明する。
【００６３】
この第１の制御回路ユニット１３Ａ´においては、点火電源コイル２が他方の極性（本例では負）の半サイクルの電圧Ｖｎを発生したときに、最初点火電源コイル２から抵抗Ｒａ６及びＲａ７とコンデンサＣａ１とトランジスタＴＲａ３のベースエミッタ間とを通してコンデンサＣａ１の充電電流が流れ、この充電電流が流れている間トランジスタＴＲａ３に所定のベース電流が与えられるため、該トランジスタＴＲａ３が導通する。トランジスタＴＲａ３が導通している間（コンデンサＣａ１の充電電流が流れている間）は点火電源コイル２から抵抗Ｒａ８を通して流れる電流がほとんど全てトランジスタＴＲａ２のベースエミッタ間のＰＮ接合と抵抗Ｒａ９とトランジスタＴＲａ３とを通して流れるため、点火電源コイル２から抵抗Ｒａ８とトランジスタＴＲａ２のベースコレクタ間のＰＮ接合とを通してＮＰＮトランジスタからなる制御素子１０Ａにベース電流が与えられることはない。また点火電源コイル２が他方の極性（本例では負）の半サイクルの電圧Ｖｎを発生した当初はトランジスタＴＲａ１に十分なベース電流が流れないため、トランジスタＴＲａ１も遮断状態にあり、該トランジスタＴＲａ１側から制御素子１０Ａにベース電流が与えられることもない。このように、点火電源コイル２が負の半サイクルの電圧Ｖｎ  を発生した当初は制御素子１０Ａが遮断状態にあるため、点火電源コイル２から抵抗Ｒａ２及びＲａ１を通して主スイッチング素子９Ａにベース電流が与えられて該主スイッチング素子９Ａが導通し、点火電源コイル２から主スイッチング素子９Ａを通して短絡電流が流れる。
【００６４】
点火電源コイル２を通して流れる短絡電流がピークに達し、点火電源コイル２の両端の電圧（主スイッチング素子９Ａのコレクタエミッタ間電圧）がピークに達すると、コンデンサＣａ１の充電が停止するため、トランジスタＴＲａ３にベース電流が流れなくなり、該トランジスタＴＲａ３が遮断状態になる。トランジスタＴＲａ３が遮断状態になると、点火電源コイル２から抵抗Ｒａ８とトランジスタＴＲａ２のベースコレクタ間のＰＮ接合とを通して制御素子１０Ａにベース電流が流れるため、該制御素子１０Ａが導通する。また点火電源コイル２の両端の電圧が所定のレベルに達すると、点火電源コイル２から抵抗Ｒａ６を通してトランジスタＴＲａ１にベース電流が流れて該トランジスタＴＲａ１が導通するため、トランジスタＴＲａ１を通して制御素子１０Ａにベース電流が流れる。
【００６５】
即ち、第１の制御回路ユニット１３Ａ´においては、点火電源コイル２の両端の電圧がピークに達したとき、または点火電源コイル２の両端の電圧が所定の値に達してトランジスタＴＲａ１が導通したときに制御素子１０Ａが導通する。制御素子１０Ａが導通すると、主スイッチング素子９Ａのベース電流が制御素子１０Ａを通して主スイッチング素子９Ａから側路されるため、主スイッチング素子９Ａが遮断状態になる。これにより点火電源コイル２を通して流れていた電流が遮断状態になり、点火コイル３の２次コイル３ｂに点火用高電圧が誘起する。従って、点火電源コイル２に他方の極性（本例では負）の半サイクルの電圧Ｖｎが誘起したときには、点火電源コイル２の両端の電圧がピークに達する位置または該点火電源コイル２の両端の電圧が所定の値（トランジスタＴＲａ１を導通させる値）に達する位置が点火位置となる。
【００６６】
図６に示した第１の制御回路ユニット１３Ａ´においては、内燃機関の回転速度が設定された遮断値切換速度よりも低いときにトランジスタＴＲａ１が遮断状態に保たれ、回転速度が遮断値切換速度に達したときに、点火電源コイル２の両端の電圧がピークに達する位置でトランジスタＴＲａ１に所定のベース電流が流れて該トランジスタＴＲａ１が導通するように、トランジスタＴＲａ１のベース電流を制限する抵抗Ｒａ５及びＲａ１の抵抗値が設定されている。
【００６７】
従って、機関の回転速度が遮断値切換速度よりも低いときには、他方の極性（本例では負）の半サイクルの電圧Ｖｎを誘起している点火電源コイル２の両端の電圧がピークに達したときに点火動作が行われ、機関の回転速度が遮断値切換速度を超えると、点火電源コイル２の両端の電圧がピークに達する位置よりも進んだ位置で該点火電源コイル２の両端の電圧が所定の値に達したときに点火動作が行われる。
【００６８】
図６に示した内燃機関点火装置ユニットについて、機関の回転速度が設定値以下のときの点火電源コイル２の無負荷出力電圧波形及び点火コイル３の２次コイル３ｂの出力電圧波形を図７（Ａ）及び（Ｂ）に示した。また機関の回転速度が設定値を超えたときの点火電源コイル２の無負荷出力電圧波形及び点火コイル３の２次コイル３ｂの出力電圧波形をそれぞれ図８（Ａ）及び（Ｂ）に示し、機関の回転速度が上記設定値よりも高く設定された遮断値切換速度を超えたときの点火電源コイル２の無負荷出力電圧波形及び点火コイル３の２次コイル３ｂの出力電圧波形をそれぞれ図９（Ａ）及び（Ｂ）に示した。なお図９（Ｂ）において、θ１  ´はθ１  より進角された位置を示す。
【００６９】
上記例では、点火電源コイル２として点火コイル３の２次コイル３ｂを兼用した例について示したが、点火電源コイル２は点火コイル３とは別になっていて、ケース２０の外で磁石発電機に組み込まれたものであってもよい。
【００７０】
また上記例では、点火電源コイル２の交流出力電圧が、図３（Ａ）に示すように一方の極性（本例では正）の半サイクルの電圧のピーク値が他方の極性（本例では負）の半サイクルの電圧のピーク値より小さい例について示したが、本発明はこれに限定されるものではなく、双方の極性の半サイクルの電圧のピーク値が同じであってもよい。この場合には、低速回転域では設定レベルＬ１  が一方の極性の半サイクルの電圧のピーク値を超えたレベルになるように、また設定レベルＬ２  が他方の極性の半サイクルの電圧のピーク値を超えないレベルになるように設定すればよい。高速回転域になると、双方の極性の電圧のピーク値が共に大きくなり、一方の極性の半サイクルの電圧のピーク値も設定レベルＬ１  を超えるようになる。
【００７１】
さらに、点火電源コイル２の交流出力電圧は、図３（Ａ）に示すように３つの半サイクルの電圧からなるものに限定されるものではなく、内燃機関が１回転する間に少なくとも１サイクルの交流電圧を誘起する波形であればよい。
【００７２】
【発明の効果】
本発明に係る内燃機関点火装置ユニットでは、制御回路ユニットを、内燃機関の低速回転域で制御動作を開始する第１の制御回路ユニットと、内燃機関の高速回転域で制御動作を開始する第２の制御回路ユニットとに別けて構成したので、単純な波形進角方式の制御回路でも、第１の制御回路ユニットと第２の制御回路ユニットとで進角幅を分担させることにより、所要の広い進角幅を得ることができる。また、第１の制御回路ユニットと第２の制御回路ユニットが、ユニット毎に独立した別部品によって構成されているので、第２の制御回路ユニットを用いずに第１の制御回路ユニットの方だけを用いて内燃機関点火装置ユニットを構成する場合のように点火時期の進角幅が比較的狭くてよい場合と、本発明のように点火時期の進角幅を広く必要とする場合とで、制御回路ユニットを除いたケース内の構造を共通化することができ、このため部品の共通化によるコストダウンを図ることができる。
【図面の簡単な説明】
【図１】本発明に係る内燃機関点火装置ユニットにおける実施の形態の第１例を示したもので、（Ａ）は該内燃機関点火装置ユニットの正面図、（Ｂ）は（Ａ）の一部破断側面図である。
【図２】本例で用いている２つの制御回路ユニットと点火コイルの構成を示す回路図である。
【図３】（Ａ）（Ｂ）は図２に示す制御回路ユニットの動作を示す波形図である。
【図４】（Ａ）（Ｂ）は図２に示す制御回路ユニットの動作を示す波形図である。
【図５】本例の内燃機関点火装置ユニットと磁石発電機との関係を示す構成図である。
【図６】本発明に係る内燃機関点火装置ユニットにおける実施の形態の第２例で用いている２つの制御回路ユニットと点火コイルの構成を示す回路図である。
【図７】（Ａ）（Ｂ）は図６に示す制御回路ユニットの動作を示す波形図である。
【図８】（Ａ）（Ｂ）は図６に示す制御回路ユニットの動作を示す波形図である。
【図９】（Ａ）（Ｂ）は図６に示す制御回路ユニットの動作を示す波形図である。
【図１０】従来の内燃機関点火装置ユニットの構成を示したもので、（Ａ）は該内燃機関点火装置ユニットの正面図、（Ｂ）は（Ａ）の一部破断側面図である。
【図１１】従来の制御回路ユニットと点火コイルの構成を示す回路図である。
【符号の説明】
１  内燃機関点火装置ユニット
２  点火電源コイル
３  点火コイル
３ａ  １次コイル
３ｂ  ２次コイル
４  点火プラグ
５  ボビン
６  鉄心
７  鉄心挿入孔
８，８Ａ，８Ａ´，８Ｂ  制御回路
９，９Ａ，９Ｂ  主スイッチング素子
１０，１０Ａ，１０Ｂ  制御素子
１１，１１Ａ，１１Ａ´，１１Ｂ  トリガ信号供給回路
１２  樹脂
１３  制御回路ユニット
１３Ａ，１３Ａ´  第１の制御回路ユニット
１３Ｂ  第２の制御回路ユニット
１４，１４Ａ，１４Ｂ  リード線
１５，１５Ａ，１５Ｂ  リード線
１６  １次ターミナル
１７  アースターミナル
１８  高圧端子
１９  高圧コード保持筒体
２０  ケース
２０ａ  隔壁
２１  ユニット収容室
２１Ａ，２１Ｂ  部屋
２２  磁石発電機
２３  ロータ
２４  フライホイール
２５  クランク軸
２６  凹部
２７  永久磁石
２７ａ  磁極片
２８Ａ，２８Ｂ  ダイオード
ＴＲａ１，ＴＲａ２，ＴＲａ２  トランジスタ
Ｒａ１〜ＴＲａ９  抵抗
Ｄａ１，Ｄａ２  ダイオード
Ｃａ１  コンデンサ
【図１】
0003555434.tif 000002
【図２】
0003555434.tif 000003
【図３】
0003555434.tif 000004
【図４】
0003555434.tif 000005
【図５】
0003555434.tif 000006
【図６】
0003555434.tif 000007
【図７】
0003555434.tif 000008
【図８】
0003555434.tif 000009
【図９】
0003555434.tif 000010
【図１０】
0003555434.tif 000011
【図１１】
0003555434.tif 000012